(57)【要約】【課題】手術の際に縫合糸を把持する鉗子の先端部に鉗子カバーを収納すると共に、指で鉗子を摘むことなく鉗子カバーが鉗子の先端に確実に挿嵌されるための鉗子カバー収納器を提供する。【解決手段】鉗子カバー２を個別に収納するための収納部１１を一定間隔に偶数列に配置し、収納部１１の夫々は、鉗子カバー２の外周面と接する空洞部１２と、該空洞部１２の底面において空洞部内の空気を外に逃すための通気孔１３と、を有し、鉗子１０の先端が収納部内に収納された鉗子カバー内に挿入されて押圧されることにより、鉗子カバー２を指で摘んで押し込むことなく、鉗子１０の２つの先端部の夫々に対して鉗子カバーが同時に挿嵌される。【選択図】図２
0003117084.tif 000002
【実用新案登録請求の範囲】
【請求項１】
鉗子の先端部に挿嵌される鉗子カバーを複数個収納する鉗子カバー収納器であって、
鉗子カバーを個別に収納するための収納部を一定間隔に偶数列に配置し、
前記収納部の夫々は、鉗子カバーの外周面と接する空洞部と、前記空洞部の底面において当該空洞部内の空気を外に逃すための通気孔と、を有し、
鉗子の先端が前記収納部内に収納された鉗子カバー内に挿入されて押圧されることにより、鉗子の２つの先端部の夫々に対して鉗子カバーが同時に挿嵌されるように形成された鉗子カバー収納器。
【請求項２】
前記空洞部の断面形状は、鉗子カバーの外周断面形状に合わせて円形、楕円、半円又は多角形状である請求項１に記載の鉗子カバー収納器。
【請求項３】
前記空洞部における前記通気孔の径は、前記鉗子の先端部の外径よりも小さい請求項１に記載の鉗子カバー収納器。
【請求項４】
前記鉗子カバー収納器は、プラスチック、発砲スチロール又は金属素材により一体的に成型された請求項１乃至３の何れかの項に記載の鉗子カバー収納器。
【請求項５】
前記鉗子カバー収納器が金属素材又は硬質プラスチックの場合、鉗子カバーの外周面と接する前記空洞部の内周面には、溝又はシボ状の凹凸が設けられた請求項４に記載の鉗子カバー収納器。
【考案の詳細な説明】
【技術分野】
【０００１】
本考案は、外科手術等に用いられる止血鉗子の先端部を覆い、縫合糸若しくは血管遮断のための血管テープ等を確実に把持するための鉗子カバーを収納すると共に、鉗子カバーを指で摘んで押し込むことなく、鉗子の先端部に鉗子カバーを確実に装着させるための鉗子カバー収納器に関する。
【背景技術】
【０００２】
外科手術に用いられる挟みのような形状をした鉗子は、例えば筋肉、血管若しくは臓器等の組織を縫合したり吻合するための糸（以下、総称して「縫合糸」という）を操作把持したり、血管を遮断する際に用いられるナイロン糸や血管テープ等を把持するために用いられる。
【０００３】
図４及び図５は、このような鉗子１０の利用状態を示す。
【０００４】
図４は、第１の血管５の側壁の一部に第２の血管６を縫合する外科手術の例を示す。鉗子１０は、両端に縫合針４が設けられた縫合糸３を把持した状態のまま創外に垂らされ、その重みによって縫合糸に適当な張力を保ちつつ血管６を血管５に対して縫合する。
【０００５】
図５は、血管８内の血行を遮断する場合の例である。血管８の遮断箇所９にナイロン糸又は血管テープ等７を巻き付け、その巻付けの端部を鉗子１０が挟んだ状態で創外に垂らし、鉗子１０の重みで血管テープ７が締まり、血管が遮断される。
【０００６】
このように、鉗子１０は、外科手術の際に縫合糸３や血管テープ７等を損傷させず、且つ確実に把持する必要があり、このために通常、その鉗子１０の先端部には、図４及び５に示すように、鉗子カバー２を被せて使用する。そして、従来は、操作者が手術の際に、鉗子カバー２を指で把持し鉗子１０の先端に押し込むことにより装着するようにしていた。
【考案の開示】
【考案が解決しようとする課題】
【０００７】
しかし、このような鉗子カバー２は、例えばゴムやプラスチック等の可撓性素材で形成されていることから曲ったり折れたりしてしまうことがあり、また、鉗子カバー２は細く小さいため、特に操作者の指先が濡れている場合には滑ってしまい、必ずしも鉗子１０の先端に密接して装着することは容易ではなかった。鉗子カバー２が鉗子１０の先端に密接的に装着されていないままで鉗子１０を使用すると、縫合糸３（図４）の把持が上手くいかないこととなる。
【０００８】
また、鉗子カバー２を指で直接摘んで鉗子の先端に押し込むことにより装着するようにすると、鉗子カバー２を掴んだ指が血液や体液等で濡れている場合には、鉗子カバー２と縫合糸３（図４）との接触摩擦が低下し、縫合糸３が鉗子から滑ってしまい縫合糸３が滑ってズレたり外れてしまうことがあった。
【課題を解決するための手段】
【０００９】
本考案は、上記課題に鑑みて考案されたものであり、鉗子の先端部に挿嵌される鉗子カバーを複数個収納する鉗子カバー収納器であって、鉗子カバーを個別に収納するための収納部を一定間隔に偶数列に配置し、前記収納部の夫々は、鉗子カバーの外周面と接する空洞部と、前記空洞部の底面において当該空洞部内の空気を外に逃すための通気孔と、を有し、鉗子の先端が前記収納部内に収納された鉗子カバー内に挿入されて押圧されることにより、鉗子の２つの先端部の夫々に対して鉗子カバーが同時に挿嵌されるように形成された鉗子カバー収納器を提供するものである。
【００１０】
これにより、本鉗子カバー収納器は、鉗子カバーを多数収納すると共に、鉗子の先端部に鉗子カバーを容易に、且つ密着させた状態で挿嵌させることを可能にしたのである。
【００１１】
ここで、前記空洞部の断面形状は、鉗子カバーの外周断面形状に合わせて円形、楕円、半円又は多角形状にする。そして、前記空洞部における前記通気孔の径は、前記鉗子の先端部の外径よりも小さくすることにより、鉗子の先端部が、鉗子カバーを突き出ないようにする。
【００１２】
ところで、本考案の鉗子カバー収納器は、プラスチック、発砲スチロール又は金属素材により一体的に成型されて製造される。そして、本鉗子カバー収納器が金属素材又は硬質プラスチックの場合、鉗子カバーの外周面と接する前記空洞部の内周面には、溝又はシボ状の凹凸を設けて収納される鉗子カバーとの摩擦係数を高めることにより、鉗子の先端に本収納器に収められた鉗子カバーを装着する際にズレないようにするとよい。
【考案の効果】
【００１３】
このように、本鉗子カバー収納器においては、鉗子の先端が前記収納部内に収納された鉗子カバー内に挿入されて押圧されることにより、鉗子の２つの先端部の夫々に対して鉗子カバーが同時に挿嵌されるので、鉗子カバーを整然と多数収納すると共に、鉗子の先端部に鉗子カバーに指で直接触れることなく、容易に且つ確実に密着させた状態で挿嵌させることを実現したのである。
【考案を実施するための最良の形態】
【００１４】
以下、図面に基づいて、本考案に係る鉗子カバー装着用補助具の詳細を説明する。
【００１５】
図１は、本考案に係る鉗子カバー収納器１の使用の形態を示すものである。本鉗子カバー収納器１は、鉗子の先端部に挿嵌される鉗子カバーを偶数列に複数個（図１の例では、２列に１２個）収納すると共に、鉗子カバー２を鉗子１０の先端部に確実に装着させるために使用するものである。
【００１６】
鉗子カバー２は、例えばゴムやプラスチック等の可撓性素材で形成されていることから、鉗子１０の先端に確実に挿嵌されていない状態で使用すると、鉗子カバー２の先端側が縫合糸により引っ張られて曲ったり折れたりしてしまうことがあり、鉗子１０の操作に支障が生じることとなる。このため、本鉗子カバー収納器１を用いれば、鉗子１０の先端が本鉗子カバー収納器の収納部内に収納された鉗子カバー内に挿入されて押圧されることにより（鉗子カバー２を指で鉗子の先端部に指で摘んで押し込むことなく）、鉗子の２つの先端部の夫々に対して鉗子カバーが同時に挿嵌させることができるのである。
【００１７】
図２は、本鉗子カバー収納器１の詳細を説明するものであり、図２（ａ）は、鉗子カバー２（図１）を個別に収納するための収納部を一定間隔に２列に１２個配置した第１の例を示し、図２（ｂ）は、鉗子カバー２（図１）を個別に収納するための収納部を４列に２４個配置した第２の例を示す。また、図２（ｃ）は、鉗子カバー２が本鉗子カバー収納器１の収納部１１に収納される状態を示す。
【００１８】
図２（ｃ）に示すように、本鉗子カバー収納器１は、鉗子カバー２を収納する収納部１１を有し、各収納部１１は、鉗子カバー２の外周面と接する空洞部１２と、空洞部１２の底面において収納部１２内の空気を外に逃すための通気孔１３を有する。
【００１９】
ところで、鉗子カバー２は、図２（ｃ）に示すように、開孔２１を有する先端部２１と、縫合糸３（図４）と接触する把持部（胴部）２３を有し、把持部２３の内部には貫通穴２４が設けられ、この貫通穴２４に鉗子１０の先端部が挿入されるのである。従って、鉗子カバー２内に鉗子１０の先端部が挿入されると貫通穴２４内の空気は、開孔２１を通して外部に抜けるようになっている。
【００２０】
そして、本鉗子カバー収納器１の収納部１１を構成する空洞部１２内に収納されている鉗子カバー２の貫通孔２４内に鉗子１０の先端部を挿入させて挿嵌させる場合、本鉗子カバー収納器１の空洞部１１の内面が鉗子カバー２の外周面２３を下側からしっかりと支持するので、鉗子カバー２を鉗子１０の先端部に密接的に挿嵌することができるのである。
【００２１】
ここで、本鉗子カバー収納器１の収納部を構成する空洞部１２の下側（本収納器１の底面）には通気孔１３が設けられているので、本収納器１の収納部１１内に鉗子カバー２が収納された状態で鉗子１０の先端が挿入された際に、本収納器１の空洞部１２内に閉じ込められる空気は、通気孔１３を通って外に抜けるので、本収納器１内に収納された鉗子１０の先端に鉗子カバー２がしっかり挿嵌され得るのである。
【００２２】
また、鉗子カバー２が鉗子１０の先端部に押し込められると、鉗子カバー２内の貫通穴２４内に空気が押し込められることとなるが、この鉗子カバー２の貫通穴２４内の空気も、鉗子カバー２の先端部中央の開孔２２と本収納器１の通気孔１３を通って外部に抜けるので、鉗子カバー２は、鉗子１０の先端部に確実に装着されることとなるのである。
【００２３】
ところで、本鉗子カバー収納器１の空洞部１２の断面形状は、鉗子カバー２の外周断面形状に対応させる必要があることは言うまでもない。鉗子カバー２の断面形状は、通常円形であるが、例えば、楕円、半円又は多角形状の場合は、それらの形状に合致させるようにする。
【００２４】
尚、本鉗子カバー収納器１は、プラスチック、発砲スチロール又は金属素材により一体的に成型されて製造される。そして、本鉗子カバー収納器が金属素材又は硬質プラスチックの場合、鉗子カバーの外周面と接する前記空洞部の内周面には、溝又はシボ状の凹凸を設けて収納される鉗子カバーとの摩擦係数を高めることにより、鉗子の先端に本収納器に収められた鉗子カバーを装着する際にズレないようにするとよい。
【００２５】
図３は、本鉗子カバー収納器１における収納部１１の詳細な寸法を記した具体例を示すものである。当然のことながら、図３に示した収納部１１形状と寸法は、鉗子１０の先端部の形状とそこに装着する鉗子カバー２の形状に適合させるべく変更することとなる。
【００２６】
以上詳しく説明したように、本考案に係る鉗子カバー収納器は、鉗子カバー２を個別に収納するための収納部１１を一定間隔に偶数列に配置し、収納部１１の夫々は、鉗子カバー２の外周面２３と接する空洞部１２と、空洞部１２の底面において空洞部内の空気を外に逃すための通気孔１３と、を有し、鉗子１０の先端が収納部１１内に収納された鉗子カバー２内に挿入されて押圧されることにより、鉗子１０の２つの先端部の夫々に対して鉗子カバー２が同時に挿嵌されるように形成される。
【００２７】
これにより、鉗子の先端部に鉗子カバーを容易に勝つ確実に密着させた状態で挿嵌させることができるのである。
【産業上の利用可能性】
【００２８】
本考案は、外科手術等に用いられる止血鉗子の先端部を覆い、縫合糸若しくは血管遮断のための血管テープ等を確実に把持するための鉗子カバーを収納すると共に、鉗子の先端部に鉗子カバーを確実に装着させるための鉗子カバー収納器に関するものであり、産業上の利用可能性を有する。
【図面の簡単な説明】
【００２９】
【図１】本考案に係る鉗子カバー収納器１の使用の形態を示す。
【図２】本鉗子カバー収納器１の詳細を説明するものであり、  図２（ａ）は、収納部を一定間隔に２列に１２個配置した第１の例を示し、  図２（ｂ）は、収納部を４列に２４個配置した第２の例を示し、  図２（ｃ）は、鉗子カバーが収納部内に収納される状態を示す。
【図３】本鉗子カバー収納器１の収納部の具体例を示す。
【図４】鉗子の利用形態の一の例を示す。
【図５】鉗子の利用形態の他の例を示す。
【符号の説明】
【００３０】
１：鉗子カバー収納器
２：鉗子カバー
３：縫合糸
４：縫合針
９：血管遮断用テープ
１０：鉗子
１１：収納部
１２：空洞部
１３：通気孔
【図１】
0003117084.tif 000003
【図２】
0003117084.tif 000004
【図３】
0003117084.tif 000005
【図４】
0003117084.tif 000006
【図５】
0003117084.tif 000007